(57)【要約】【課題】本発明は、荷物の運搬用トラックの荷台、倉庫内、室内、事務所内等で使用する組立式の整理用ラックの改良に関する発明であり、本発明は、荷物を下ろし又は出したりした後は、コンパクトに収納することができ、トラックの荷台、倉庫内等を整理することができる組立式整理用ラックを提供することを目的とするものである。【解決手段】本発明は、上記の課題を解決するために、上端及び下端にキャップを取り付けるとともに上部には上受金具を、下部には下受金具を設けたた４本の支持脚と、外枠内に格子状の内枠を設けるとともに、各コーナにＬ字型の突出部を設け、前記支持脚に設けた上下受金具に着脱自在に取り付ける上下載置枠３とからなることを特徴とする組立式整理用ラックの構成及び保持具を設けるとともに補強板を設けた断面形状がコ字状である上載置板と、補強板を設けた断面形状がコ字状である下載置板と、前記上載置板の保持具に係止させることができる４本の支持脚とからなることを特徴とする組立式整理用ラックの構成とした。【選択図】　図３
2004026428.tif 000002
【特許請求の範囲】
【請求項１】
上端及び下端にキャップを取り付けるとともに上部には上受金具を、下部には下受金具を設けたた４本の支持脚と、外枠内に格子状の内枠を設けるとともに、各コーナにＬ字型の突出部を設け、前記支持脚に設けた上下受金具に着脱自在に取り付ける上下載置枠とからなることを特徴とする組立式整理用ラック。
【請求項２】
保持具を設けるとともに補強板を設けた断面形状がコ字状である上載置板と、補強板を設けた断面形状がコ字状である下載置板と、前記上載置板の保持具に係止させることができる４本の支持脚とからなることを特徴とする組立式整理用ラック。
【発明の詳細な説明】
【０００１】
【発明の属する技術分野】
本発明は、荷物の運搬用トラックの荷台、倉庫内、室内、事務所内等で使用する組立式の整理用ラックの改良に関する発明である。
【０００２】
【従来の技術】
従来から、トラックの荷台、倉庫内、室内、事務所内等で各種の商品、各種の荷物等を整理するために使用する組立式の整理用ラックを用いることがあるが、従来使用されているラックは、組立式でない整理用のラックが多い。
【０００３】
【発明が解決しようとする課題】
しかしながら、組立式でない整理用ラックでは、トラックの荷台から荷物を下ろした後も整理用ラックをコンパクトに収納することができずに、帰りのトラックの荷台でも整理ラックを組み立てたままの状態で持ち帰ることになる。
【０００４】
また、倉庫内で使用しても組立式の整理用ラックでないために、別の荷物を倉庫内に入れて保管しようとしても、組立式でない整理用ラックでは、荷物の形状及び大きさによっては、倉庫内に組立式でない整理用ラックが置かれているために収納して保管することが不可能であるときもある。
【０００５】
更に、荷物を下ろした後のトラックの荷台は、雑然とした状態になり、荷物が載っていないために整理ラック自体が転倒したり、崩れたりしやすい状態となり危険を伴うことになる。このことは、荷物を出した倉庫内でも同様である。
【０００６】
そこで、本発明は、荷物を下ろし又は出したりした後は、コンパクトに収納することができ、トラックの荷台、倉庫内等を整理することができる組立式整理用ラックを提供することを目的とするものである。
【０００７】
【課題を解決するための手段】
本発明は、上記の課題を解決するために、上端及び下端にキャップを取り付けるとともに上部には上受金具を、下部には下受金具を設けたた４本の支持脚と、外枠内に格子状の内枠を設けるとともに、各コーナにＬ字型の突出部を設け、前記支持脚に設けた上下受金具に着脱自在に取り付ける上下載置枠３とからなることを特徴とする組立式整理用ラックの構成及び保持具を設けるとともに補強板を設けた断面形状がコ字状である上載置板と、補強板を設けた断面形状がコ字状である下載置板と、前記上載置板の保持具に係止させることができる４本の支持脚とからなることを特徴とする組立式整理用ラックの構成とした。
とした。
【０００８】
【実施例】
以下に、添付図面に基づき、本発明である組立式整理用ラックを詳細に説明する。図１〜図９は本発明である組立式整理用ラックの第１実施例を示した図であり、図１０〜図１３は本発明である組立式整理用ラックの第２実施例を示した図である。
【０００９】
図１は本発明である組立式整理ラックの第１実施例の正面図、図２は本発明である組立式整理ラックの第１実施例の平面図、図３は本発明である組立式整理用ラックの斜視図である。
【００１０】
図１、図２及び図３に示すように、本発明である組立式整理用ラック１は、４本の支持脚２、２、２、２と、上載置枠３と、前記上載置枠３と同形同大の下載置枠４とからなる。
【００１１】
図１、図２及び図３に示すように、各支持脚２、２、２、２の上部と下部に受金具５、５、５、５が固定されている。また、各支持脚２、２、２、２の上端には上キャップ２ｂ、２ｂ、２ｂ、２ｂが、下端には下キャップ２ｃ、２ｃ、２ｃ、２ｃが取り付けられている。
【００１２】
図１に示すように、各支持脚２、２、２、２は、支持脚本体２ａ、２ａ、２ａ、２ａと支持脚本体２ａ、２ａ、２ａ、２ａの上端に取り付けられている上キャップ２ｂ、２ｂ、２ｂ、２ｂと、支持脚本体２ａ、２ａ、２ａ、２ａの下端に取り付けられている下キャップ２ｃ、２ｃ、２ｃ、２ｃと、支持脚本体２ａ、２ａ、２ａ、２ａの上部に固定されている受金具５、５、５、５と支持脚本体２ａ、２ａ、２ａ、２ａの下部に固定されている受金具５、５、５、５とからなる。前記各支持脚本体２に固定されている受金具５は断面形状がＬ字型の形状である。
【００１３】
図１に示したように、上載置枠３及び下載置枠４は同形同大である。図２に示すように、上下載置枠３、４は、正方形状に形成されている枠体であり、外枠３ａと内枠３ｂからなる。
【００１４】
図２に示すように、外枠３ａは、上枠３ｅと右枠３ｄと下枠３ｃと左枠３ｆとを正方形状に接合した枠であり、各枠３ｃ、３ｄ、３ｅ、３ｆが接合した各４コーナには受金具５、５、５、５、５に嵌着する突出部３ｇ、３ｈ、３ｉ、３ｊ、３ｋ、３ｌ、３ｍ、３ｎが上下載置枠体３、４から外方に受金具５、５、５、５に嵌着可能にＬ字型に突設している。
【００１５】
図３に示すように、各支持脚２、２、２、２の支持脚本体２ａ、２ａ、２ａ、２ａの上部及び下部に固定されている各受金具５、５、５、５、５、５、５、５はＬ字型であり、支持脚本体２ａ、２ａ、２ａ、２ａの上部及び下部に上下載置枠３、４の枠体３ａ、４ａの各コーナに外方にＬ字型に突設出する突出部３ｇ〜３ｎ、４ｇ〜４ｎが嵌着する位置に固定されている。
【００１６】
即ち、各受金具５、５、５、５、５、５、５、５は、各支持脚本体２ａ、２ａ、２ａ、２ａの内方に直角に突出するよう固定されている。上下載置枠３、４の内枠３ｂ、４ｂは、格子戸状である。
【００１７】
図４は、本発明である組立式整理用ラックの第１実施例の受金具の拡大平面図である。図４に示すように、横断面形状が正方形状の支持脚２の１辺に固定されている受金具５は、第１受部材５ｄと第２受部材５ｅからなる。
第１受部材５ｄと第２受部材５ｅは、直角となる位置に支持脚２に固定する。
【００１８】
図１に示すように、支持脚２、２、２、２の支持脚本体２ａ、２ａ、２ａ、２ａの上部及び下部に直角になる位置に内方に突出するように固定されている第１受部材５ｄと第２受部材５ｅとは、Ｌ字型の形状に形成されている。そして、図３に示すように、支持脚本体２ａ、２ａ、２ａ、２ａの内方の２個所に別個にお互いに直角にしかも突出部３ｉ、３ｊが嵌入するように固定されている。
【００１９】
この受金具５に上載置枠３を構成する枠体３ａの各コーナに突出する突出部３ｉ、３ｊが着脱自在に嵌着する。このように、突出部３ｉ、３ｊがＬ字型の受金具５、６内の嵌着溝に嵌着することによりぐらつきが無くなる。
【００２０】
図５は、本発明である組立式整理用ラックの第１実施例の受金具の他の実施例の拡大平面図である。本例の受金具５ａは、変形八角形に形成した板状の受板６を各支持脚２、２、２、２の上部及び下部に固定する。本受金具５ａの支持脚２への取付方法は、板状に形成されている受板６にＬ字型に形成されている取付溝６ｄに支持脚２を固定する。
【００２１】
各支持脚２に固定した受板６の上面にＬ字型に形成した板状の第１受部材６ａ、第２受部材６ｂ及び第３受部材６ｃを外枠体３ａの下枠３ｃ、右枠３ｄ及び突出部３ｉ、３ｊが嵌入する間隔を設けて受板６の上面に受板６に垂直に起立させて固定する。
【００２２】
即ち、第１受部材６ａ及び第３受部材６ｃは、支持脚２、２、２、２に平行に受板６の上面に固定するとともに、第２受部材６ｂは支持脚２に対称位置に固定する。
【００２３】
図６は、本発明である組立式整理用ラックの第１実施例の受金具の他の実施例の拡大平面図である。本例の受金具５ｂは、変形長方形に形成した板状の受板６ｅを各支持脚２、２、２、２の上部及び下部に固定する。
【００２４】
本受金具５ｂを支持脚２に固定する方法は、板状の受板６ｅにＬ字型に形成されている取付溝６ｆに支持脚２を挿入して固定する。各支持脚２に固定した受板６ｅの上面にＬ字型に形成した板状の受部材６ｇを外枠体３ａの下枠３ｃ、右枠３ｄ及び突出部３ｉ、３ｊが嵌入する間隔を設けて、受板６ｅに垂直に起立させて固定する。
【００２５】
図７は、本発明である組立式整理用ラックの第１実施例の受金具の他の実施例の拡大斜視図である。本例の受金具５ｆは、本発明である組立式整理用ラックの第１実施例を示した図１〜図３に示した受金具５に、嵌着した上下載置枠３、４が受金具５から脱外することがないように、脱外防止の差込ピン７を設けた構造としたものである。
【００２６】
図７に示すように、第１受部材５ｄ及び第２受部材５ｅに差込ピン７を挿通することができる挿通孔を穿設するとともに、突出部３ｉ、３ｊにも同様に挿通孔を穿設する。また、支持脚本体２ａにも差込ピン７の先端部が挿入できる有底の挿通溝を設ける。差込ピン７は、第１受部材５ｄ又は第２受部材５ｅのいずれか一方に挿通できるようにしてもよい。
【００２７】
図８は、本発明である組立式整理用ラックの第１実施例の受金具の他の実施例の拡大縦断面図である。差込ピン７は、水平部７ａと水平部７ａに連設されて湾曲部７ｂがあり、湾曲部７ｂに連設して波状部７ｃがある。水平部７ａの先端は尖っている。
【００２８】
図８に示すように、受金具５の第２受部材５ｅの下面には、突子７ｄがもうけられていて、この突子７ｄが差込ピン７に形成されている波状部７ｃの凹部に係止する構造である。このような構造にすることにより、受金具５から突出部３ｉが脱外しないので、上下載置枠３、４が安定して支持脚２、２、２、２に支持される。
【００２９】
図９は、本発明である組立式整理用ラックの第１実施例を収納した状態を示した斜視図である。図９に示すように、本例の組立式整理用ラック１の上下載置枠上に多数の荷物２１、２１、２１・・・・を組立式整理用ラック１から降ろす。
【００３０】
その後、荷物２１、２１・・・を降ろした組立式整理用ラック１を分解して上下載置枠３、３、３、３・・４、４、４、４・・・・を４本の支持脚２、２、２、２に取り付けて残してある下載置枠４上に積み重ねて整理する。
【００３１】
図１０は、本発明である組立式整理用ラックの第２実施例の斜視図である。図１０に示すように、本例の組立式整理用ラック１ａは、キャスター１０、１０、１０、１０及び支持脚２ｄの上下に固定した受金具５、５、５、５を有する支持脚２ｄ、２ｄ、２ｄ、２ｄと、載置板８ｎ、９ｎを載せる上下載置枠８、９とからなる。
【００３２】
本例の組立式整理用ラック１ａは、図１〜図８に示した第１実施例の組立式整理用ラック１とは異なり、上下載置枠８、９の外枠８ａ内に格子状の内枠が存在しない構造である。
【００３３】
また、支持脚２ｄ、２ｄ、２ｄ、２ｄの上端にはキャップがなく、上載置枠８に外方に突設されている突出部８ｆ〜８ｍを受金具５、５、５、５に嵌着したときは、外枠８ａの上面と面一となる。
【００３４】
上載置枠８は、左右上下枠８ｂ、８ｃ、８ｄ、８ｅからなり、四角形状である。
上載置枠８の各コーナには、受金具５、５、５、５に嵌着する突出部８ｆ〜８ｍが外方に突設されている。
【００３５】
同様に下載置枠９は、左右上下枠９ｂ、９ｃ、９ｄ、９ｅからなり、四角形状である。下載置枠９の各コーナには、受金具５、５、５、５に嵌着する突出部９ｆ〜９ｍが外方に突設されている。
【００３６】
図１１は、本発明である組立式整理用ラックの第２実施例の載置板を取り付けた状態を示した斜視図である。図１１に示すように、図１０のように組み立てられた組立式整理用ラック１ａの上下載置枠８、９上に上下載置板８ｎ、９ｎを載せることができる。上下載置板８ｎ、９ｎの四隅には切欠部８ｏ、８ｏ、８ｏ、８ｏ、９ｏ、９ｏ、９ｏ、９ｏが形成されている。
【００３７】
図１２は、本発明である組立式整理用ラックの第３実施例の一部拡大斜視図である。図１２に示すように、本例の組立式整理用ラック１ｂは、下部にキャスター１０、１０、１０、１０を取り付けるとともに内方に上下係止部１２ｂ、１２ｂ、１２ｂ、１２ｂ、１２ｄ、１２ｄ、１２ｄ、１２ｄを設けた４本の支持脚１２、１２、１２、１２とからなる。支持脚１２の下端にはキャスター１０を取り付けない構造であってもよい。
【００３８】
図１２に示すように、本例の組立式整理用ラック１ｂを構成する載置板１１は正方形又は長方形であり、縦断面形状がコ字状の形をしていている。載置板１１の外周には下方に垂下する垂下部１１ｂ、１１ｃが設けられている。垂下部１１ｂと垂下部１１ｃは角部１１ｄで直角に接合されている。
【００３９】
各支持脚１２、１２、１２、１２は横断面形状がＬ字型であり、その内壁面の上部には上係止部材１２ｂが、下部には下係止部材１２ｄが設けてある。前記上下係止部材１２ｂ、１２ｄは、支持脚１２の形状と同様に横断面形状がＬ字型である。
【００４０】
そして、上係止部材１２ｂと支持脚１２の内壁面との間にはＬ字型の嵌着溝１２ｃが、下係止部材１２ｄと支持脚１２の内壁面との間にはＬ字型の嵌着溝１２ｅが形成されている。
【００４１】
これらの嵌着溝１２ｃ、１２ｅは、４本の各支持脚１２、１２、１２、１２に形成されていて、これらの嵌着溝には１２ｃ、１２ｄには上下載置１１、１１の角部１１ｄを嵌着させて、載置板１１、１１を支持脚１２に着脱可能に取り付けることができる。
【００４２】
図１３は、本発明である組立式整理用ラックの第４実施例の一部拡大斜視図である。図１３に示すように、本例の組立式整理用ラック１ｃでは、載置板１３の各コーナに四角錐状に形成した内部１３ｂが中空のキャップ１３ａを固定し、各支持脚１４、１４、１４、１４の先端部を前記キャップ１３ａの内部１３ｂに嵌入するように四角錐状に形成した。
【００４３】
本例の組立式整理用ラック１ｃでは、支持脚１４、１４、１４、１４の先端部に載置板１３を載置させるためには、載置板１３の四隅に固定されているキャップ１３ａ、１３ａ、１３ａ、１３ａの内部に嵌着させて載せる。
【００４４】
本発明である組立式整理用ラックの第１実施例の組立式整理用ラック１（図１〜図９に示した組立式整理用ラック）では、受金具５〜５ｃ、５ｆは、支持脚２、２、２、２の支持脚本体２ａ、２ａ、２ａ、２ａの上部及び下部に着脱可能な構造としてもよい。
【００４５】
図１４から図２１までは、本発明である組立式整理用ラックの第５実施例を示している。以下に、添付図面に基づいて、本例の組立式整理用ラックを詳細に説明する。
【００４６】
図１４は、本例の組立式整理用ラックの斜視図である。本例の組立式整理用ラック１５は、断面形状がコ字状の上載置板１６と断面形状がコ字状の下載置板１６ａと収納ネット１９と４本の支持脚とからなる。４本の支持脚１７、１７ａ、１７ｂ、１７ｃの下端には、キャスター１７ｄ、１７ｄ、１７ｄ、１７ｄが取り付けられ、支持脚１７〜１７ｃのほぼ中央部にはフック１７ｅが取り付けられている。前記フック１７ｅには収納ネット１９を引っ掛け網棚として使用することができる。
【００４７】
上載置板１６の各コーナ１６ｄ、１６ｄ、１６ｄ、１６ｄ及び下載置板１６ａの各コーナ１６ｈ、１６ｈ、１６ｈ、１６ｈに、前記４本の支持脚１７ａ、１７ｂ、１７ｃ、１７ｄが着脱可能に取り付けられている。
【００４８】
図１５は、本例の組立式整理用ラックを分解している状態の斜視図である。即ち、上下載置板１６、１６ａの各コーナ１６ｄ、１６ｄ、１６ｄ、１６ｄ、１６ｈ、１６ｈ、１６ｈ、１６ｈから４本の支持脚１７、１７ａ、１７ｂ、１７ｃを取り外し分解することができる。
【００４９】
図１５に示すように、４本の支持脚１７〜１７ｃは、横断面形状がＬ字型の形状であり、支持脚１７〜１７ｃの上部には上載置板１６を受けとめるための受け金具１８が固定されているとともに、支持脚１７〜１７ｃの下部には下載置板１６ａを受け止める受け金具１８ａ、１８ａ、１８ａ、１８ａが固定されている。
【００５０】
図１６は、本例の組立式整理用ラックを構成する上下載置板と上下載置板を収納するための収納網袋の斜視図である。図１６に示すように、上載置板１６の背面に形成されている凹部に４本の支持脚７〜７ｃを収納し、上載置板１６の背面に下載置板１６ａを裏返しにして、上載置板１６の背面に下載置板１６ａの背面を接合させる。
【００５１】
支持脚１７〜１７ｃを収納し、下載置板１６ａを背面に接合させた状態で、把っ手１９ｂ、１９ｃが取り付けられている収納網袋１９の開口部１９ａから差し込み収納する。
【００５２】
図１７は、本例の組立式整理用ラックを構成する上載置板の背面に支持脚を収納した状態を示した平面図である。図１７に示すように、４本の支持脚１７〜１７ｃを上載置板１６の背面に形成されている凹部に設けられている略Ｌ字型の保持具６ｉ、６ｉ、６ｉ、６ｉに平行に係止させる。
【００５３】
図１８は、本例の組立式整理用ラックを構成する上載置板と下載置板間に支持脚を収納した状態の右側面図である。図１８に示すように、４本の支持脚１７〜１７ｃには、キャスター１７ｄが固定されている。
【００５４】
また、上下載置板１６、１６ａの外周に垂直に形成されている垂下部１６ｂ、１６ｃの内壁面には補強板１６ｅ、１６ｆ、１６ｊ、１６ｋが取り付けられている。これは、垂下部１６ｂ、１６ｃが、外方及び内方に折れ曲がらないようにするためである。
【００５５】
図１９は本例の組立式整理用ラックの上載置板の平面図、図２０は本例の組立式整理用ラックの上載置板の正面図である。図１９に示すように、上載置板１６は、横長の長方形状である。図２０に示すように、荷物等を載せる上載置板１６は、薄型である。
【００５６】
図２１は、本例の組立式整理用ラックの上載置板の各コーナの一部拡大平面図である。図２１に示すように、上載置板１６の各コーナ１６ｄ、１６ｄ、１６ｄ、１６ｄには、Ｌ字型の受け金具１８が、差込孔１６ｇが形成されるように取り付けられている。この差込孔１６ｇには、支持脚１７〜１７ｃの上端部が差し込まれる。
【００５７】
図２２は、本発明である組立式整理用ラックの第６実施例の平面図である。
図２２に示すように、本例の上載置枠３の外枠３ａは、上枠３ｅと右枠３ｄと下枠３ｃと左枠３ｆとを正方形状に接合した枠体であり、各枠３ｃ、３ｄ、３ｅ、３ｆが接合したコーナーに変形五角形状に形成した受金具２０を固定し、前記受金具２０により、各枠３ｃ、３ｄ、３ｅ、３ｆを接合したコーナー内部に支持脚２を設置する。
【００５８】
【発明の効果】
本発明は、以上に説明したような構成であるから、以下の効果が得られる。第１に、荷物を下ろし又は出したりした後の組立式整理用ラックをコンパクトに収納することができ、トラックの荷台、倉庫内等をすっきりと整理することができ、他の形状、大きさ等の異なる荷物を積載、保管等することが容易にできる。
【００５９】
第２に、荷物を下ろした後の整理ラックをまとめてコンパクトに収納するために、転倒等の危険が少なくなる。
【００６０】
第３に、４本の支持脚は、上下載置板内に収納し収納網袋に入れて持ち運びが極めて容易である。
【図面の簡単な説明】
【図１】本発明である組立式整理用ラックの第１実施例の正面図である。
【図２】本発明である組立式整理用ラックの第１実施例の平面図である。
【図３】本発明である組立式整理用ラックの第１実施例の斜視図である。
【図４】本発明である組立式整理用ラックの第１実施例の受金具の拡大平面図である。
【図５】本発明である組立式整理用ラックの第１実施例の受金具の他の実施例の拡大平面図である。
【図６】本発明である組立式整理用ラックの第１実施例の受金具の他の実施例の拡大平面図である。
【図７】本発明である組立式整理用ラックの第１実施例の受金具の他の実施例の拡大斜視図である。
【図８】本発明である組立式整理用ラックの第１実施例の受金具の他の実施例の拡大斜視図である。
【図９】本発明である組立式整理用ラックの第１実施例を収納した状態を示した斜視図である。
【図１０】本発明である組立式整理用ラックの第２実施例の斜視図である。
【図１１】本発明である組立式整理用ラックの第２実施例に載置板を取り付けた状態を示した斜視図である。
【図１２】本発明である組立式整理用ラックの第３実施例の一部拡大斜視図である。
【図１３】本発明である組立式整理用ラックの第４実施例の一部拡大斜視図である。
【図１４】本発明である組立式整理用ラックの第５実施例の斜視図である。
【図１５】本発明である組立式整理用ラックの第５実施例を分解している状態の斜視図である。
【図１６】本発明である組立式整理用ラックの第５実施例を構成する上下載置板と上下載置板を収納するための収納網袋の斜視図である。
【図１７】本発明である組立式整理用ラックの第５実施例の載置板の背面に支持脚を収納した状態を示した平面図である。
【図１８】本発明である組立式整理用ラックの第５実施例の載置板に支持脚を収納した状態を示した正面図である。
【図１９】本発明である組立式整理用ラックの第５実施例の上載置板の平面図である。
【図２０】本発明である組立式整理用ラックの第５実施例の上載置板の正面図である。
【図２１】本発明である組立式整理用ラックの第５実施例の上載置板のコーナの一部拡大図である。
【図２２】本発明である組立式整理用ラックの第６実施例の平面図である。
【符号の説明】
１〜１ｃ　　組立式整理用ラック
２　　　　　支持脚
２ａ　　　　支持脚本体
２ｂ　　　　上キャップ
２ｃ　　　　下キャップ
２ｄ　　　　支持脚
３　　　　　上載置枠
３ａ　　　　外枠体
３ｂ　　　　内枠体
３ｃ　　　　下枠
３ｄ　　　　右枠
３ｅ　　　　上枠
３ｆ　　　　左枠
３ｇ〜３ｎ　突出部
４　　　　　下載置枠
４ａ　　　　外枠体
４ｂ　　　　内枠体
４ｃ　　　　下枠
４ｄ　　　　右枠
４ｅ　　　　上枠
４ｆ　　　　左枠
４ｇ〜４ｍ　突出部
５〜５ｃ　　受金具
５ｄ　　　　第１受部材
５ｅ　　　　第２受部材
５ｆ　　　　受金具
６　　　　　受板
６ａ　　　　第１受部材
６ｂ　　　　第２受部材
６ｃ　　　　第３受部材
６ｄ　　　　取付溝
６ｅ　　　　受板
６ｆ　　　　取付溝
７　　　　　差込ピン
７ａ　　　　水平部
７ｂ　　　　湾曲部
７ｃ　　　　波状部
８　　　　　上載置枠
８ａ　　　　外枠
８ｂ　　　　下枠
８ｃ　　　　右枠
８ｄ　　　　上枠
８ｅ　　　　左枠
８ｆ〜８ｍ　突出部
８ｎ　　　　載置板
８ｏ　　　　切欠部
９　　　　　下載置枠
９ａ　　　　枠体
９ｂ　　　　下枠
９ｃ　　　　右枠
９ｄ　　　　上枠
９ｅ　　　　左枠
９ｆ〜９ｍ　突出部
９ｎ　　　　載置板
９ｏ　　　　切欠部
１０　　　　キャスター
１１　　　　載置板
１１ａ　　　本体
１１ｂ　　　垂下部
１１ｃ　　　垂下部
１１ｄ　　　角部
１２　　　　支持脚
１２ａ　　　支持脚本体
１２ｂ　　　上係止部材
１２ｃ　　　嵌着溝
１２ｄ　　　下係止部材
１２ｅ　　　嵌着溝
１３　　　　載置板
１３ａ　　　キャップ
１３ｂ　　　内部
１４　　　　支持脚
１４ａ　　　上部
１５　　　　組立式整理ラック
１６　　　　上載置板
１６ａ　　　下載置板
１６ｂ　　　　　　垂下部
１６ｃ　　　垂下部
１６ｄ　　　　　　コーナ
１６ｅ　　　　　　補強板
１６ｆ　　　　　　補強板
１６ｇ　　　差込孔
１６ｈ　　　コーナ
１６ｉ　　　保持具
１７〜１７ｃ支持脚
１７ｄ　　　キャスター
１７ｅ　　　フック
１８　　　　受け金具
１８ａ　　　受け金具
１９　　　　収納ネット
１９ａ　　　開口部
１９ｂ　　　把っ手
１９ｃ　　　把っ手
２０　　　　受金具
２１　　　　荷物
【図１】
2004026428.tif 000003
【図２】
2004026428.tif 000004
【図３】
2004026428.tif 000005
【図４】
2004026428.tif 000006
【図５】
2004026428.tif 000007
【図６】
2004026428.tif 000008
【図７】
2004026428.tif 000009
【図８】
2004026428.tif 000010
【図９】
2004026428.tif 000011
【図１０】
2004026428.tif 000012
【図１１】
2004026428.tif 000013
【図１２】
2004026428.tif 000014
【図１３】
2004026428.tif 000015
【図１４】
2004026428.tif 000016
【図１５】
2004026428.tif 000017
【図１６】
2004026428.tif 000018
【図１７】
2004026428.tif 000019
【図１８】
2004026428.tif 000020
【図１９】
2004026428.tif 000021
【図２０】
2004026428.tif 000022
【図２１】
2004026428.tif 000023
【図２２】
2004026428.tif 000024